(57)【要約】【課題】正確、かつ、効率的に刷版の検査を行える刷版検査装置を提供する。【解決手段】ＲＩＰ処理で印刷用のＣ画像１１、Ｍ画像１３、Ｙ画像１５、Ｋ画像１７を作成し、データベース３に保存する。刷版９上に投影機７が投影する画像が等倍となる距離に、刷版９を配置する。コンピュータ５は、配置した刷版９に対応する印刷用のＣ画像１１、Ｍ画像１３、Ｙ画像１５、Ｋ画像１７をのうちの所定の画像データを読み出し、投影機７に送る。投影機７は、刷版９上に画像を投影し、刷版９上の画像と投影機７が投影した画像を比較することにより、刷版９の検査を行う。この刷版検査処理を、版の枚数分繰り返す。【選択図】　図３
2004117785.tif 000002
【特許請求の範囲】
【請求項１】
刷版を作成するための画像データを保持する保持手段と、
前記保持手段から前記画像データを読み出す読み出し手段と、
前記画像データを基にして作成された刷版上に、前記読み出し手段により読み出された画像データを投影する投影機と、
を具備することを特徴とする刷版検査装置。
【請求項２】
前記画像データは、シアン画像データ、マゼンタ画像データ、イエロー画像データ、ブラック画像データのうちのいずれかであることを特徴とする請求項１記載の刷版検査装置。
【発明の詳細な説明】
【０００１】
【発明の属する技術分野】
本発明は刷版検査装置等に関するものであり、特に、印刷用ＣＭＹＫデータを投影機を用いて刷版上に投影し、刷版の検査を行う刷版検査装置に関する。
【０００２】
【従来の技術】
従来の刷版の検査方法として、刷版を作成する際に用いるデータを用いて、ＣＭＹＫ４色（Ｃ：シアン、Ｙ：イエロー、Ｍ：マゼンタ、Ｋ：ブラック）の出力物を作成し、刷版と出力物を目視で比べることにより、刷版を検査するという方法がある。
【０００３】
あるいは、刷版上の画像をスキャナで取り込み、取り込んだ画像と印刷用ＣＭＹＫデータを比較検査するという方法がある。
【０００４】
【発明が解決しようとする課題】
しかしながら、上記第１の方法では、実際にＣＭＹＫ４色の出力物を作成するための時間が必要となる。また、人により刷版と出力物を交互に見比べるため、比較検査としての正確性に欠ける。
【０００５】
第２の方法では、刷版の画像をスキャナで取り込むのに非常に時間がかかり、効率的に刷版の検査を行うことができない。
【０００６】
本発明は、このような問題に鑑みてなされたもので、その目的とするところは、正確、かつ、効率的に刷版の検査を行える刷版検査装置を提供することにある。
【０００７】
【課題を解決するための手段】
前述した目的を達成するために本発明は、刷版を作成するための画像データを保持する保持手段と、保持手段から画像データを読み出す読み出し手段と、画像データを基にして作成された刷版上に読み出し手段により読み出された画像データを投影する投影機とを具備する刷版検査装置である。
【０００８】
画像データは、シアン画像データ、マゼンタ画像データ、イエロー画像データ、ブラック画像データのうちのいずれかである。この画像データは、レイアウトされた画像データをＲＩＰ（Ｒａｓｔｅｒ　Ｉｍａｇｅ　Ｐｒｏｃｅｓｓｅｒ）処理により作成する。
【０００９】
投影機により画像データを刷版上に投影し、オペレータが投影した画像と刷版上の画像を比較し、刷版の検査を行える。
【００１０】
【発明の実施の形態】
以下、図面に基づいて本発明の実施の形態を詳細に説明する。図１は、本発明の１実施の形態に係る刷版検査装置１の概略構成図、図２は、データベース（ＤＢ）３に保存する画像データの１例を示す図である。
【００１１】
図１に示すように、本発明に係る刷版検査装置１は、印刷用のＣＭＹＫ画像データを保存するデータベース３、コンピュータ５、投影機７等からなる。
【００１２】
図２に示すように、データベース３は、印刷用のＣ画像１１、Ｍ画像１３、Ｙ画像１５、Ｋ画像１７を有する。これらのＣ画像１１、Ｍ画像１３、Ｙ画像１５、Ｋ画像１７は、レイアウトされた画像データをフィルムに出力する際、ＲＩＰ処理で作成される。そして、このフィルムを用いて刷版９が作成される。
あるいは、レイアウトされた画像データから、直接ＣＴＰ（Ｃｏｍｐｕｔｅｒｔｏ　Ｐｌａｔｅ）出力機と現像処理により刷版９が作成されることもあるが、この際にも、レイアウトされた画像データをＲＩＰ処理して、Ｃ画像１１、Ｍ画像１３、Ｙ画像１５、Ｋ画像１７を生成する。
【００１３】
コンピュータ５は、データベース３のＣ画像１１、Ｍ画像１３、Ｙ画像１５、Ｋ画像１７を読み出し、投影機７に送る。投影機７は、画像データを刷版９上に投射する。投影機７と刷版９の間の距離は、投影機７が投影する画像が刷版９上で等倍となるように設定する。
【００１４】
次に、図３を参照しながら、本発明に係る刷版検査装置１の動作を説明する。
図３は、本発明に係る刷版検査装置１の動作を示すフローチャートである。
【００１５】
画像データをフィルムに出力するか、ＣＴＰ（Ｃｏｍｐｕｔｅｒ　ｔｏ　Ｐｌａｔｅ）出力する時、ＲＩＰ処理により印刷用のＣ画像１１、Ｍ画像１３、Ｙ画像１５、Ｋ画像１７が作成され、コンピュータ５はＣ画像１１、Ｍ画像１３、Ｙ画像１５、Ｋ画像１７をデータベース３に保存する（ステップ１０１）。
【００１６】
変数ＸをＣ（シアン）に設定し、刷版検査の繰り返し処理を初期化する（ステップ１０２）。そして、刷版（Ｘ版、この場合はＣ版）９を投影機７から投影される画像が等倍となる所定の位置に置く（ステップ１０３）。
【００１７】
コンピュータ５は、データベース３から所定の位置に置いた刷版９に対応するＣ画像１１、Ｍ画像１３、Ｙ画像１５、Ｋ画像１７のうち所定の画像データを読み出す（この場合はＣ画像１１）（ステップ１０４）。
【００１８】
コンピュータ５は、投影機７に画像データを送り、投影機７は刷版（Ｘ版）９上に画像を投影する（ステップ１０５）。オペレータは、刷版（Ｘ版）９上の画像と、投影機７が投影した画像を比較し、刷版９の検査を行う（ステップ１０６）。
【００１９】
他に検査する版があるかどうか判定し（ステップ１０７）、ある場合は、変数Ｘをまだ検査を行っていない色Ｍ，Ｙ，Ｋのいずれかに設定し（ステップ１０８）、ステップ１０３に戻り、同様の処理を繰り返す。他に検査する版がない場合は、処理を終了する。
【００２０】
このように、本実施の形態によればＲＩＰ処理により作成したＣＭＹＫ画像データを、投影機を用いて刷版上に投影することにより、刷版の検査を正確、かつ、効率的に行うことが可能となる。
【００２１】
以上、添付画面を参照しながら本発明に係る刷版検査装置の好適な実施形態について説明したが、本発明に係る例に限定されない。当業者であれば、特許請求の範囲に記載された技術的思想の範疇内において各種の変更例または修正例に想到し得ることは明らかであり、それらについても当然に本発明の技術的範囲に属するものと了解される。
【００２２】
【発明の効果】
以上、説明したように本実施によれば、正確、かつ、効率的に刷版の検査を行える刷版検査装置を提供することができる。
【図面の簡単な説明】
【図１】本発明の１実施の形態に係る刷版検査装置１の概略構成図
【図２】データベース３に保存する画像データの１例を示す図
【図３】本発明に係る刷版検査装置１の動作を示すフローチャート
【符号の説明】
１　刷版検査装置
３　データベース
５　コンピュータ
７　投影機
９　刷版
【図１】
2004117785.tif 000003
【図２】
2004117785.tif 000004
【図３】
2004117785.tif 000005